(57)【要約】【課題】  本発明において、壁面からの突起が僅かであって、取り外しの操作性が良く、掛止具の取り付けが簡易で、壁面に大きな釘穴を残さず、誤って強く引っ張っても壁面に取り付けた掛止具が外れる心配がなく、景観上好ましい形状で壁面に掛止することが出来る電源タップ掛止具を提供する。【解決手段】  電源タップを壁面等に掛止するための掛止具であって、片面に接着剤等が塗布され、壁面などに接着して使用するシート状又はプレート状の台座ａと、片面に接着剤等が塗布され、電源タップに接着して使用するシート状又はプレート状の台座ｂと、２組以上のスナップボタンからなり、該スナップボタンの凸部又は凹部が前記台座ａに２個以上取り付けられ、該スナップボタンの凸部又は凹部と対をなすスナップボタンが台座ｂに取り付けられた構造であることを特徴とする。【選択図】図１
2019096588.tif 000002
【特許請求の範囲】
【請求項１】
電源タップを壁面等に掛止するための掛止具であって、片面に接着剤等が塗布され、壁面などに接着して使用するシート状又はプレート状の台座ａと、片面に接着剤等が塗布され、電源タップに接着して使用するシート状又はプレート状の台座ｂと、２組以上のスナップボタンからなり、該スナップボタンの凸部又は凹部が前記台座ａに２個以上取り付けられ、該スナップボタンの凸部又は凹部と対をなすスナップボタンが台座ｂに取り付けられた構造であることを特徴とする電源タップ掛止具。
【請求項２】
請求項１記載の電源タップ掛止具において、台座ａに代えて片面に接着剤等が塗布され該接着剤等と針状物質により壁面等に固定される構造からなるシート状又はプレート状の台座ｃを備え、スナップボタンの凸部又は凹部が前記台座ｃに２個以上取り付けられた構造である電源タップ掛止具。
【請求項３】
請求項１又は請求項２に記載の電源タップ掛止具において、台座ｂに代えて電源タップの外郭の一部を構成する台座ｄを備え、台座ａ又は台座ｃに取り付けられたスナップボタンと対をなすスナップボタンが台座ｄに取り付けられた構造である電源タップ掛止具。
【発明の詳細な説明】
【技術分野】
【０００１】  この発明は壁面などに固定して使用する、電源タップ掛止具に関するものである。
【背景技術】
【０００２】  従来、電源タップを壁面などに掛止する方法として、壁面に複数の釘を打ち込み、該釘に電源タップ裏面の複数の凹み部を係合することにより掛止するのが一般的であった。しかし、複数の釘を壁面に打ち込む場合、電源タップを外している際に釘の頭部が露出することで壁面の景観を損ねることになり、また場合によっては衣服などが釘頭部に引っかかってしまうという欠点があった。【０００３】  また、壁に刺した釘から電源タップを外す場合、電源タップを横方向に引っ張るだけでは掛止が外れず、電源タップを上方向又は横方向に移動させて掛止具から外すという動作が必要となり、取り外す際の操作性は良いとは言い難いものであった。
電源タップは、使用する状況により場所の移動が出来るところが長所であり、普段は電源タップを壁面に固定して使用する状況であっても、一時的に壁面から取り外す状況は意外に多く、取り外しの際の操作性の良さは大きな長所となり得るものである。【０００４】  更には、壁面に複数の釘を刺して電源タップを掛止する場合、金づちなどを用いて釘を打ち込む作業が必要となり、これは少なからず手間がかかってしまうという欠点があり、更には、壁面に大きな釘穴が複数残ってしまうという欠点があった。加えて、保持力の弱い石膏ボード製壁面に取り付ける場合、長期間の使用により釘が壁面から抜け落ちる恐れがあるという欠点を有するものであった。
【発明の概要】
【発明が解決しようとする課題】
【０００５】  一方、複数の釘を使用せずに電源タップを壁面に掛止する方法として、壁面に鈎状フックを接着又は押しピンにより取り付け、電源タップに掛止部を取り付け、該鈎状フックと該掛止部を係合することで壁面に掛止する方法が考えられるが、この場合、電源タップにつながるコードのよじれにより電源タップが壁面に密着せず景観上好ましくないという欠点を有するものであった。【０００６】  更に、０００５段落に記載の方法では、鈎状フックが壁面から突起することとなり、０００２段落記載の欠点は解消されるものではなく、又、電源タップを誤って横方向に強い力で引っ張った場合、壁面に取り付けられている鈎状フックが外れてしまう恐れがあるという欠点があった。
そこで、本発明において、壁面からの突起が僅かであって、取り外しの操作性が良く、掛止具の取り付けが簡易で、壁面に大きな釘穴を残さず、誤って強く引っ張っても壁面に取り付けた掛止具が外れる心配がなく、景観上好ましい形状で壁面に掛止することが出来る電源タップ掛止具を提供する。
【課題を解決するための手段】
【０００７】  第１の課題解決手段に係る電源タップ掛止具は、電源タップを壁面等に掛止するための掛止具であって、片面に接着剤等が塗布され、壁面などに接着して使用するシート状又はプレート状の台座ａと、片面に接着剤等が塗布され、電源タップに接着して使用するシート状又はプレート状の台座ｂと、２組以上のスナップボタンからなり、該スナップボタンの凸部又は凹部が前記台座ａに２個以上取り付けられ、該スナップボタンの凸部又は凹部と対をなすスナップボタンが台座ｂに取り付けられた構造であることを特徴とする電源タップ掛止具（第１発明）である。【０００８】  ここで、前記掛止具の１例として台座ａ及び台座ｂが幅２０ｍｍ、厚さ１ｍｍ、長さ５０ｍｍ程度の人口皮革製で、片面に、接着強さ５ｃｍ２あたり５０ｋｇ程度の両面テープを接着した構造からなり、又、２組以上のスナップボタンとして一般的にバネホックと呼ばれているスナップボタンを用い、該バネホックの凸部を前記台座ａに取り付けた構造のものが挙げられる。【０００９】  第２の課題解決手段に係る電源タップ掛止具は、第１発明に記載の電源タップ掛止具において、台座ａに代えて片面に接着剤等が塗布され該接着剤等と針状物質により壁面等に固定される構造からなるシート状又はプレート状の台座ｃを備え、スナップボタンの凸部又は凹部が前記台座ｃに２個以上取り付けられた構造である電源タップ掛止具（第２発明）である。【００１０】  前記第２発明において、台座ｃの固定方法として１本又は複数本の針状物質と接着剤等による接着効果の併用方式を採用することにより、特に保持力の弱い石膏ボード製壁面に固定する場合に効果を発揮する。【００１１】  ここで、石膏ボード製壁面に台座ｃを固定する方法として強力な接着剤による接着効果のみで固定する方法も考えられるが、その場合、平面方向に加わる力により長期間の使用で接着面のずれが生じ、最終的には台座ｃが壁面から外れてしまうことが起こり得る。その対策として、接着力を強化する手段もあるが、その場合、台座ｃを壁面から外す際に壁紙を損傷してしまう恐れがある。
一方、台座ｃを針状物質のみで石膏ボード製壁面に固定する場合、石膏ボードの保持力の弱さからスナップボタンの嵌合を外す際に働く面と鉛直方向の力により台座ｃが壁面から抜け落ちてしまうことが想定される。【００１２】  本発明において、平面方向に加わる力に対しては１本又は複数本の針状物質により台座ｃのずれ防止を担い、スナップボタンの嵌合を外す際に働く面と鉛直方向の力に対しては接着剤等による接着効果で台座ｃの脱落防止を担うことで、接着力を必要最低限に抑えることにより、台座ｃを壁紙から外す際の壁紙の損傷を防ぐことが出来る。【００１３】  第３の課題解決手段に係る電源タップ掛止具は、第１発明又は第２発明に記載の電源タップ掛止具において、台座ｂに代えて電源タップの外郭の一部を構成する台座ｄを備え、台座ａ又は台座ｃに取り付けられたスナップボタンと対をなすスナップボタンが台座ｄに取り付けられた構造である電源タップ掛止具（第３発明）である。
【発明の効果】
【００１４】  第１の効果に、第１発明に係る発明品は壁面などへの固定方法が接着取付式であることにあり、取り付けに手間がかからず壁面に穴が残らないこと、更に、ガラス面、鋼製面にも取り付けが可能であるという構造にある。【００１５】  第２の効果に、第２発明に係る発明品は台座ｃの壁面への固定方法として針状物質と接着効果の併用としてことで、台座ｃの壁面への取り付け操作が極めて簡素化されたところにある。従来、石膏ボード製壁面への係止具の固定方法は複数の細釘により固定する方法などさまざまであるが、そのうち最も簡易な固定方法はプッシュピンなどの鋲形状をした係止具であり、本発明品の取り付け操作はプッシュピンと同様であり、最も簡易な固定方法で取り付け可能である。【００１６】  第３の効果に、本発明品に用いるスナップボタンの嵌合力に対し、それを上回る強度で本発明品を壁面に固定することで、強い力で電源タップを引っ張った場合においても、最初にスナップボタンが外れることで掛止具が壁面から外れることを防ぐことができる構造にあり、これは０００５段落に記載の掛止方法にはないものである。【００１７】  第４の効果に、本発明品の掛止機構にスナップボタンを用いることにより、電源タップを取り外す際には、引っ張ることで掛止が外れるという鈎状掛止具にはない取り外しの際の操作性の良さが挙げられる。
【図面の簡単な説明】
【００１８】
【図１】請求項１に係る電源タップ掛止具の斜視図を示す。
【図２】請求項１に係る電源タップ掛止具の説明図を示す。
【図３】請求項１に係る電源タップ掛止具の断面図を示す。
【図４】請求項２に係る電源タップ掛止具の断面図を示す。
【図５】請求項３に係る電源タップ掛止具の説明図を示す。
【発明を実施するための形態】
【００１９】  図１及び図２は請求項１に係る電源タップ掛止具の斜視図及び説明図であり、図３は請求項１に係る断面図を示す。
台座ａ（１）に２個の凸型スナップボタン（２）が取り付けられた掛止具が両面テープ（３）により壁面（４）に接着され、該凸型スナップボタン（２）と対をなす凹型スナップボタン（５）が取り付けられた台座ｂ（６）が電源タップ（７）に両面テープ（３）により接着された状態において、凸型スナップボタン（２）と凹型スナップボタン（５）の嵌合力により電源タップ（７）を壁面（４）に掛止する構造からなる。
【００２０】  図４は請求項２に係る電源タップ掛止具の断面図を示す。
台座ｃ（８）に２個の凸型スナップボタン（２）が取り付けられた掛止具が両面テープ（３）及び針状物質（９）により壁面（４）に固定され、該凸型スナップボタン（２）と対をなす凹型スナップボタン（５）が取り付けられた台座ｂ（６）が電源タップ（７）に両面テール（３）により接着された状態において、凸型スナップボタン（２）と凹型スナップボタン（５）の嵌合力により電源タップ（７）を壁面（４）に掛止する構造からなる。
【００２１】  図５は請求項３に係る電源タップ掛止具の説明図を示す。
台座ａ（１）に２個の凸型スナップボタン（２）が取り付けられた掛止具が両面テープ（３）により壁面（４）に接着され、該凸型スナップボタン（２）と対をなす凹型スナップボタン（５）が取り付けられた台座ｄ（１０）が電源タップ（７）の外郭の一部を構成する状態において、凸型スナップボタン（２）と凹型スナップボタン（５）の嵌合力により電源タップ（７）を壁面（４）に掛止する構造からなる。
【符号の説明】
【００２２】    １  台座ａ
２  凸形スナップボタン
３  両面テープ
４  壁面
５  凹型スナップボタン
６  台座ｂ
７  電源タップ
８  台座ｃ
９  針状物質
１０  台座ｄ
【図１】
2019096588.tif 000003
【図２】
2019096588.tif 000004
【図３】
2019096588.tif 000005
【図４】
2019096588.tif 000006
【図５】
2019096588.tif 000007
【手続補正書】
【提出日】平成30年4月29日(2018.4.29)
【手続補正１】
【補正対象書類名】特許請求の範囲
【補正対象項目名】全文
【補正方法】変更
【補正の内容】
【特許請求の範囲】
【請求項１】
電源タップを壁面に掛止するための掛止具であって、片面に接着剤が塗布され、壁面に接着して使用するシート状又はプレート状の台座ａと、片面に接着剤が塗布され、電源タップに接着して使用するシート状又はプレート状の台座ｂと、２組以上のバネホックからなり、該バネホックの凸部又は凹部が前記台座ａに２個以上取り付けられ、該バネホックの凸部又は凹部と対をなすバネホックが台座ｂに取り付けられた構造であることを特徴とする電源タップ掛止具。
【請求項２】
請求項１記載の電源タップ掛止具において、台座ａに代えて片面に接着剤が塗布され該接着剤と針状物質により壁面に固定される構造からなるシート状又はプレート状の台座ｃを備え、バネホックの凸部又は凹部が前記台座ｃに２個以上取り付けられ、前記針状物質が鋲形状をなすように前記バネホックの凸部又は凹部に一体化された構造である電源タップ掛止具。
【請求項３】
請求項１又は請求項２に記載の電源タップ掛止具において、台座ｂに代えて電源タップの外郭の一部を構成する台座ｄを備え、台座ａ又は台座ｃに取り付けられたバネホックと対をなすバネホックが台座ｄに取り付けられた構造である電源タップ掛止具。
【手続補正２】
【補正対象書類名】明細書
【補正対象項目名】全文
【補正方法】変更
【補正の内容】
【発明の詳細な説明】
【技術分野】
【０００１】  この発明は壁面に固定して使用する、電源タップ掛止具に関するものである。
【背景技術】
【０００２】  従来、電源タップを壁面に掛止する方法として、壁面に複数の釘を打ち込み、該釘に電源タップ裏面の複数の凹み部を係合することにより掛止するのが一般的であった。しかし、複数の釘を壁面に打ち込む場合、電源タップを外している際に釘の頭部が露出することで壁面の景観を損ねることになり、また場合によっては衣服などが釘頭部に引っかかってしまうという欠点があった。【０００３】  また、壁に刺した釘から電源タップを外す場合、電源タップを横方向に引っ張るだけでは掛止が外れず、電源タップを上方向又は横方向に移動させて掛止具から外すという動作が必要となり、取り外す際の操作性は良いとは言い難いものであった。
電源タップは、使用する状況により場所の移動が出来るところが長所であり、普段は電源タップを壁面に固定して使用する状況であっても、一時的に壁面から取り外す状況は意外に多く、取り外しの際の操作性の良さは大きな長所となり得るものである。【０００４】  更には、壁面に複数の釘を刺して電源タップを掛止する場合、金づちなどを用いて釘を打ち込む作業が必要となり、これは少なからず手間がかかってしまうという欠点があり、更には、壁面に大きな釘穴が複数残ってしまうという欠点があった。加えて、保持力の弱い石膏ボード製壁面に取り付ける場合、長期間の使用により釘が壁面から抜け落ちる恐れがあるという欠点を有するものであった。
【発明の概要】
【発明が解決しようとする課題】
【０００５】  一方、複数の釘を使用せずに電源タップを壁面に掛止する方法として、壁面に鈎状フックを接着又は押しピンにより取り付け、電源タップに掛止部を取り付け、該鈎状フックと該掛止部を係合することで壁面に掛止する方法が考えられるが、この場合、電源タップにつながるコードのよじれにより電源タップが壁面に密着せず景観上好ましくないという欠点を有するものであった。【０００６】  更に、０００５段落に記載の方法では、鈎状フックが壁面から突起することとなり、０００２段落記載の欠点は解消されるものではなく、又、電源タップを誤って横方向に強い力で引っ張った場合、壁面に取り付けられている鈎状フックが外れてしまう恐れがあるという欠点があった。
そこで、本発明において、壁面からの突起が僅かであって、取り外しの操作性が良く、掛止具の取り付けが簡易で、壁面に大きな釘穴を残さず、誤って強く引っ張っても壁面に取り付けた掛止具が外れる心配がなく、景観上好ましい形状で壁面に掛止することが出来る電源タップ掛止具を提供する。
【課題を解決するための手段】
【０００７】  第１の課題解決手段に係る電源タップ掛止具は、電源タップを壁面に掛止するための掛止具であって、片面に接着剤が塗布され、壁面に接着して使用するシート状又はプレート状の台座ａと、片面に接着剤が塗布され、電源タップに接着して使用するシート状又はプレート状の台座ｂと、２組以上のバネホックからなり、該バネホックの凸部又は凹部が前記台座ａに２個以上取り付けられ、該バネホックの凸部又は凹部と対をなすバネホックが台座ｂに取り付けられた構造であることを特徴とする電源タップ掛止具（第１発明）である。【０００８】  ここで、前記掛止具の１例として台座ａ及び台座ｂが幅２０ｍｍ、厚さ１ｍｍ、長さ５０ｍｍ程度の人口皮革製で、片面に、接着強さ５ｃｍ２あたり５０ｋｇ程度の両面テープを接着した構造からなり、又、２組以上のバネホックと呼ばれているスナップボタンを用い、該バネホックの凸部を前記台座ａに取り付けた構造のものが挙げられる。【０００９】  第２の課題解決手段に係る電源タップ掛止具は、第１発明に記載の電源タップ掛止具において、台座ａに代えて片面に接着剤が塗布され該接着剤と針状物質により壁面に固定される構造からなるシート状又はプレート状の台座ｃを備え、バネホックの凸部又は凹部が前記台座ｃに２個以上取り付けられ、前記針状物質が鋲形状をなすように前記バネホックの凸部又は凹部に一体化された構造である電源タップ掛止具（第２発明）である。【００１０】  前記第２発明において、台座ｃの固定方法として１本又は複数本の針状物質と接着剤等による接着効果の併用方式を採用することにより、特に保持力の弱い石膏ボード製壁面に固定する場合に効果を発揮する。【００１１】  ここで、石膏ボード製壁面に台座ｃを固定する方法として強力な接着剤による接着効果のみで固定する方法も考えられるが、その場合、平面方向に加わる力により長期間の使用で接着面のずれが生じ、最終的には台座ｃが壁面から外れてしまうことが起こり得る。その対策として、接着力を強化する手段もあるが、その場合、台座ｃを壁面から外す際に壁紙を損傷してしまう恐れがある。
一方、台座ｃを針状物質のみで石膏ボード製壁面に固定する場合、石膏ボードの保持力の弱さからスナップボタンの嵌合を外す際に働く面と鉛直方向の力により台座ｃが壁面から抜け落ちてしまうことが想定される。【００１２】  本発明において、平面方向に加わる力に対しては１本又は複数本の針状物質により台座ｃのずれ防止を担い、バネホックの嵌合を外す際に働く面と鉛直方向の力に対しては接着剤等による接着効果で台座ｃの脱落防止を担うことで、接着力を必要最低限に抑えることにより、台座ｃを壁紙から外す際の壁紙の損傷を防ぐことが出来る。【００１３】  第３の課題解決手段に係る電源タップ掛止具は、第１発明又は第２発明に  記載の電源タップ掛止具において、台座ｂに代えて電源タップの外郭の一部を構成する台座ｄを備え、台座ａ又は台座ｃに取り付けられたバネホックと対をなすバネホックが台座ｄに取り付けられた構造である電源タップ掛止具（第３発明）である。
【発明の効果】
【００１４】  第１の効果に、第１発明に係る発明品は壁面などへの固定方法が接着取付式であることにあり、取り付けに手間がかからず壁面に穴が残らないこと、更に、ガラス面、鋼製面にも取り付けが可能であるという構造にある。【００１５】  第２の効果に、第２発明に係る発明品は台座ｃの壁面への固定方法として針状物質と接着効果の併用としてことで、台座ｃの壁面への取り付け操作が極めて簡素化されたところにある。従来、石膏ボード製壁面への係止具の固定方法は複数の細釘により固定する方法などさまざまであるが、そのうち最も簡易な固定方法はプッシュピンなどの鋲形状をした係止具であり、本発明品の取り付け操作はプッシュピンと同様であり、最も簡易な固定方法で取り付け可能である。【００１６】  第３の効果に、本発明品に用いるバネホックの嵌合力に対し、それを上回る強度で本発明品を壁面に固定することで、強い力で電源タップを引っ張った場合においても、最初にバネホックが外れることで掛止具が壁面から外れることを防ぐことができる構造にあり、これは０００５段落に記載の掛止方法にはないものである。【００１７】  第４の効果に、本発明品の掛止機構にバネホックを用いることにより、電源タップを取り外す際には、引っ張ることで掛止が外れるという鈎状掛止具にはない取り外しの際の操作性の良さが挙げられる。
【図面の簡単な説明】
【００１８】
【図１】請求項１に係る電源タップ掛止具の斜視図を示す。
【図２】請求項１に係る電源タップ掛止具の説明図を示す。
【図３】請求項１に係る電源タップ掛止具の断面図を示す。
【図４】請求項２に係る電源タップ掛止具の断面図を示す。
【図５】請求項３に係る電源タップ掛止具の説明図を示す。
【発明を実施するための形態】
【００１９】  図１及び図２は請求項１に係る電源タップ掛止具の斜視図及び説明図であり、図３は請求項１に係る断面図を示す。
台座ａ（１）に２個の凸型バネホック（２）が取り付けられた掛止具が両面テープ（３）により壁面（４）に接着され、該凸型バネホック（２）と対をなす凹型バネホック（５）が取り付けられた台座ｂ（６）が電源タップ（７）に両面テープ（３）により接着された状態において、凸型バネホック（２）と凹型バネホック（５）の嵌合力により電源タップ（７）を壁面（４）に掛止する構造からなる。
【００２０】  図４は請求項２に係る電源タップ掛止具の断面図を示す。
台座ｃ（８）に２個の凸型バネホック（２）が取り付けられた掛止具が両面テープ（３）及び凸形バネホック（２）と鋲形状をなすように一体化された針状物質（９）により壁面（４）に固定され、該凸型バネホック（２）と対をなす凹型バネホック（５）が取り付けられた台座ｂ（６）が電源タップ（７）に両面テープ（３）により接着された状態において、凸型バネホック（２）と凹型バネホック（５）の嵌合力により電源タップ（７）を壁面（４）に掛止する構造からなる。
【００２１】  図５は請求項３に係る電源タップ掛止具の説明図を示す。
台座ａ（１）に２個の凸型バネホック（２）が取り付けられた掛止具が両面テープ（３）により壁面（４）に接着され、該凸型バネホック（２）と対をなす凹型バネホック（５）が取り付けられた台座ｄ（１０）が電源タップ（７）の外郭の一部を構成する状態において、凸型スナップボタン（２）と凹型バネホック（５）の嵌合力により電源タップ（７）を壁面（４）に掛止する構造からなる。
【符号の説明】
【００２２】  １  台座ａ
２  凸形バネホック
３  両面テープ
４  壁面
５  凹型バネホック
６  台座ｂ
７  電源タップ
８  台座ｃ
９  針状物質
１０  台座ｄ
【手続補正書】
【提出日】平成30年7月7日(2018.7.7)
【手続補正１】
【補正対象書類名】特許請求の範囲
【補正対象項目名】全文
【補正方法】変更
【補正の内容】
【特許請求の範囲】
【請求項１】
電源タップを壁面に掛止するための掛止具であって、片面に接着剤が塗布され、壁面に接着して使用するシート状又はプレート状の台座ａと、片面に接着剤が塗布され、電源タップに接着して使用するシート状又はプレート状の台座ｂと、２組以上のバネホックからなり、該バネホックの凸部又は凹部が前記台座ａに２個以上取り付けられ、該バネホックの凸部又は凹部と対をなすバネホックが台座ｂに取り付けられた構造であることを特徴とする電源タップ掛止具。
【請求項２】
請求項１記載の電源タップ掛止具において、台座ａに代えて片面に接着剤が塗布され該接着剤と針状物質により壁面に固定される構造からなるシート状又はプレート状の台座ｃを備え、バネホックの凸部又は凹部が前記台座ｃに２個以上取り付けられた構造である電源タップ掛止具。
【請求項３】
請求項１又は請求項２に記載の電源タップ掛止具において、台座ｂに代えて電源タップの外郭の一部を構成する台座ｄを備え、台座ａ又は台座ｃに取り付けられたバネホックと対をなすバネホックが台座ｄに取り付けられた構造である電源タップ掛止具。
【手続補正２】
【補正対象書類名】明細書
【補正対象項目名】全文
【補正方法】変更
【補正の内容】
【発明の詳細な説明】
【技術分野】
【０００１】  この発明は壁面に固定して使用する、電源タップ掛止具に関するものである。
【背景技術】
【０００２】  従来、電源タップを壁面に掛止する方法として、壁面に複数の釘を打ち込み、該釘に電源タップ裏面の複数の凹み部を係合することにより掛止するのが一般的であった。しかし、複数の釘を壁面に打ち込む場合、電源タップを外している際に釘の頭部が露出することで壁面の景観を損ねることになり、また場合によっては衣服などが釘頭部に引っかかってしまうという欠点があった。【０００３】  また、壁に刺した釘から電源タップを外す場合、電源タップを横方向に引っ張るだけでは掛止が外れず、電源タップを上方向又は横方向に移動させて掛止具から外すという動作が必要となり、取り外す際の操作性は良いとは言い難いものであった。
電源タップは、使用する状況により場所の移動が出来るところが長所であり、普段は電源タップを壁面に固定して使用する状況であっても、一時的に壁面から取り外す状況は意外に多く、取り外しの際の操作性の良さは大きな長所となり得るものである。【０００４】  更には、壁面に複数の釘を刺して電源タップを掛止する場合、金づちなどを用いて釘を打ち込む作業が必要となり、これは少なからず手間がかかってしまうという欠点があり、更には、壁面に大きな釘穴が複数残ってしまうという欠点があった。加えて、保持力の弱い石膏ボード製壁面に取り付ける場合、長期間の使用により釘が壁面から抜け落ちる恐れがあるという欠点を有するものであった。
【発明の概要】
【発明が解決しようとする課題】
【０００５】  一方、複数の釘を使用せずに電源タップを壁面に掛止する方法として、壁面に鈎状フックを接着又は押しピンにより取り付け、電源タップに掛止部を取り付け、該鈎状フックと該掛止部を係合することで壁面に掛止する方法が考えられるが、この場合、電源タップにつながるコードのよじれにより電源タップが壁面に密着せず景観上好ましくないという欠点を有するものであった。【０００６】  更に、０００５段落に記載の方法では、鈎状フックが壁面から突起することとなり、０００２段落記載の欠点は解消されるものではなく、又、電源タップを誤って横方向に強い力で引っ張った場合、壁面に取り付けられている鈎状フックが外れてしまう恐れがあるという欠点があった。
そこで、本発明において、壁面からの突起が僅かであって、取り外しの操作性が良く、掛止具の取り付けが簡易で、壁面に大きな釘穴を残さず、誤って強く引っ張っても壁面に取り付けた掛止具が外れる心配がなく、景観上好ましい形状で壁面に掛止することが出来る電源タップ掛止具を提供する。
【課題を解決するための手段】
【０００７】  第１の課題解決手段に係る電源タップ掛止具は、電源タップを壁面に掛止するための掛止具であって、片面に接着剤が塗布され、壁面に接着して使用するシート状又はプレート状の台座ａと、片面に接着剤が塗布され、電源タップに接着して使用するシート状又はプレート状の台座ｂと、２組以上のバネホックからなり、該バネホックの凸部又は凹部が前記台座ａに２個以上取り付けられ、該バネホックの凸部又は凹部と対をなすバネホックが台座ｂに取り付けられた構造であることを特徴とする電源タップ掛止具（第１発明）である。【０００８】  ここで、前記掛止具の１例として台座ａ及び台座ｂが幅２０ｍｍ、厚さ１ｍｍ、長さ５０ｍｍ程度の人口皮革製で、片面に、接着強さ５ｃｍ２あたり５０ｋｇ程度の両面テープを接着した構造からなり、又、２組以上のバネホックと呼ばれているスナップボタンを用い、該バネホックの凸部を前記台座ａに取り付けた構造のものが挙げられる。【０００９】  第２の課題解決手段に係る電源タップ掛止具は、第１発明に記載の電源タップ掛止具において、台座ａに代えて片面に接着剤が塗布され該接着剤と針状物質により壁面に固定される構造からなるシート状又はプレート状の台座ｃを備え、バネホックの凸部又は凹部が前記台座ｃに２個以上取り付けられた構造である電源タップ掛止具（第２発明）である。【００１０】  前記第２発明において、台座ｃの固定方法として１本又は複数本の針状物質と接着剤等による接着効果の併用方式を採用することにより、特に保持力の弱い石膏ボード製壁面に固定する場合に効果を発揮する。【００１１】  ここで、石膏ボード製壁面に台座ｃを固定する方法として強力な接着剤による接着効果のみで固定する方法も考えられるが、その場合、平面方向に加わる力により長期間の使用で接着面のずれが生じ、最終的には台座ｃが壁面から外れてしまうことが起こり得る。その対策として、接着力を強化する手段もあるが、その場合、台座ｃを壁面から外す際に壁紙を損傷してしまう恐れがある。
一方、台座ｃを針状物質のみで石膏ボード製壁面に固定する場合、石膏ボードの保持力の弱さからスナップボタンの嵌合を外す際に働く面と鉛直方向の力により台座ｃが壁面から抜け落ちてしまうことが想定される。【００１２】  本発明において、平面方向に加わる力に対しては１本又は複数本の針状物質により台座ｃのずれ防止を担い、バネホックの嵌合を外す際に働く面と鉛直方向の力に対しては接着剤等による接着効果で台座ｃの脱落防止を担うことで、接着力を必要最低限に抑えることにより、台座ｃを壁紙から外す際の壁紙の損傷を防ぐことが出来る。【００１３】  第３の課題解決手段に係る電源タップ掛止具は、第１発明又は第２発明に  記載の電源タップ掛止具において、台座ｂに代えて電源タップの外郭の一部を構成する台座ｄを備え、台座ａ又は台座ｃに取り付けられたバネホックと対をなすバネホックが台座ｄに取り付けられた構造である電源タップ掛止具（第３発明）である。
【発明の効果】
【００１４】  第１の効果に、第１発明に係る発明品は壁面などへの固定方法が接着取付式であることにあり、取り付けに手間がかからず壁面に穴が残らないこと、更に、ガラス面、鋼製面にも取り付けが可能であるという構造にある。【００１５】  第２の効果に、第２発明に係る発明品は台座ｃの壁面への固定方法として針状物質と接着効果の併用としてことで、台座ｃの壁面への取り付け操作が極めて簡素化されたところにある。従来、石膏ボード製壁面への係止具の固定方法は複数の細釘により固定する方法などさまざまであるが、そのうち最も簡易な固定方法はプッシュピンなどの鋲形状をした係止具であり、本発明品の取り付け操作はプッシュピンと同様であり、最も簡易な固定方法で取り付け可能である。【００１６】  第３の効果に、本発明品に用いるバネホックの嵌合力に対し、それを上回る強度で本発明品を壁面に固定することで、強い力で電源タップを引っ張った場合においても、最初にバネホックが外れることで掛止具が壁面から外れることを防ぐことができる構造にあり、これは０００５段落に記載の掛止方法にはないものである。【００１７】  第４の効果に、本発明品の掛止機構にバネホックを用いることにより、電源タップを取り外す際には、引っ張ることで掛止が外れるという鈎状掛止具にはない取り外しの際の操作性の良さが挙げられる。
【図面の簡単な説明】
【００１８】
【図１】請求項１に係る電源タップ掛止具の斜視図を示す。
【図２】請求項１に係る電源タップ掛止具の説明図を示す。
【図３】請求項１に係る電源タップ掛止具の断面図を示す。
【図４】請求項２に係る電源タップ掛止具の断面図を示す。
【図５】請求項３に係る電源タップ掛止具の説明図を示す。
【発明を実施するための形態】
【００１９】  図１及び図２は請求項１に係る電源タップ掛止具の斜視図及び説明図であり、図３は請求項１に係る断面図を示す。
台座ａ（１）に２個の凸型バネホック（２）が取り付けられた掛止具が両面テープ（３）により壁面（４）に接着され、該凸型バネホック（２）と対をなす凹型バネホック（５）が取り付けられた台座ｂ（６）が電源タップ（７）に両面テープ（３）により接着された状態において、凸型バネホック（２）と凹型バネホック（５）の嵌合力により電源タップ（７）を壁面（４）に掛止する構造からなる。
【００２０】  図４は請求項２に係る電源タップ掛止具の断面図を示す。
台座ｃ（８）に２個の凸型バネホック（２）が取り付けられた掛止具が両面テープ（３）及び針状物質（９）により壁面（４）に固定され、該凸型バネホック（２）と対をなす凹型バネホック（５）が取り付けられた台座ｂ（６）が電源タップ（７）に両面テープ（３）により接着された状態において、凸型バネホック（２）と凹型バネホック（５）の嵌合力により電源タップ（７）を壁面（４）に掛止する構造からなる。
【００２１】  図５は請求項３に係る電源タップ掛止具の説明図を示す。
台座ａ（１）に２個の凸型バネホック（２）が取り付けられた掛止具が両面テープ（３）により壁面（４）に接着され、該凸型バネホック（２）と対をなす凹型バネホック（５）が取り付けられた台座ｄ（１０）が電源タップ（７）の外郭の一部を構成する状態において、凸型スナップボタン（２）と凹型バネホック（５）の嵌合力により電源タップ（７）を壁面（４）に掛止する構造からなる。
【符号の説明】
【００２２】    １  台座ａ
２  凸形バネホック
３  両面テープ
４  壁面
５  凹型バネホック
６  台座ｂ
７  電源タップ
８  台座ｃ
９  針状物質
１０  台座ｄ